(57)【要約】【課題】  調理器具から発生する磁力線に従って簡単に換気装置のオンオフや強弱運転を自動制御することのできる換気装置、およびそれを備えた台所システムを提供する。【解決手段】  磁力線センサにより検出された調理器具（２）からの磁力線に従って、換気運転のオンオフを自動制御可能とする。【選択図】図１
2006010189.tif 000002
【特許請求の範囲】
【請求項１】
磁力線センサにより検出された調理器具からの磁力線に従って、換気運転のオンオフが自動制御可能となっていることを特徴とする換気装置。
【請求項２】
検出された磁力線の大きさに従って、換気運転の強弱をも自動制御可能となっていることを特徴とする請求項１記載の換気装置。
【請求項３】
調理器具および換気装置を備えた台所システムであって、換気装置は、磁力線センサにより検出された調理器具からの磁力線に従って、換気運転のオンオフが自動制御可能となっていることを特徴とする台所システム。
【請求項４】
換気装置は、検出された磁力線の大きさに従って換気運転の強弱をも自動制御可能となっていることを特徴とする請求項３記載の台所システム。
【発明の詳細な説明】
【技術分野】
【０００１】
この出願の発明は、換気装置および台所システムに関するものである。さらに詳しくは、この出願の発明は、ＩＨ(Induction Heating）ヒータや電子レンジ等の調理器具から発生する磁力線に応じて換気運転のオンオフの自動制御を可能ならしめる換気装置、およびそれを備えた台所システムに関するものである。
【背景技術】
【０００２】
従来、調理器具および換気装置を備えたキッチンにおいて、調理器具のオンオフ操作信号に従って換気装置のオンオフを自動制御することが知られている（たとえば特許文献１，２，３参照）。
【特許文献１】特開２００３−８３５５０号公報
【特許文献２】特開２００２−２０６７５８号公報
【特許文献３】特開２００３−２２９２４０号公報
【発明の開示】
【発明が解決しようとする課題】
【０００３】
しかしながら、上記特許文献１〜３のいずれも、調理器具のオンオフ操作信号、つまりオンさせたときの電気信号、オフさせたときの電気信号を換気自動制御に用いているだけであって、調理器具から発生する磁力線については何等考慮していない。
【０００４】
近年、電子レンジはもちろんのこと、ＩＨ方式のヒータ等の調理器具の普及がめざましく、これらはオン時に瞬時に磁力線を発生するという特徴を持っており、この磁力線の発生を検出することで、調理器具のオンを的確に把握できると考えられる。
【０００５】
そこで、以上のとおりの事情に鑑み、この出願の発明は、磁力線を発生する調理器具を対象とし、発生した磁力線に基づいて簡単に換気装置のオンオフや強弱運転を自動制御することのできる換気装置、およびそれを備えた台所システムを提供することを課題としている。
【課題を解決するための手段】
【０００６】
この出願の発明は、上記の課題を解決するものとして、第１には、磁力線センサにより検出された調理器具からの磁力線に従って、換気運転のオンオフが自動制御可能となっていることを特徴とする換気装置を提供し、第２には、検出された磁力線の大きさに従って、換気運転の強弱をも自動制御可能となっていることを特徴とする前記換気装置をも提供する。
【０００７】
また、この出願の発明は、第３には、調理器具および換気装置を備えた台所システムであって、換気装置は、磁力線センサにより検出された調理器具からの磁力線に従って、換気運転のオンオフが自動制御可能となっていることを特徴とする台所システムを提供し、第４には、換気装置は、検出された磁力線の大きさに従って換気運転の強弱をも自動制御可能となっていることを特徴とする前記台所システムをも提供する。
【発明の効果】
【０００８】
上記第１の換気装置によれば、磁力線を発生するＩＨヒーターや電子レンジ等の調理器具を対象にして、磁力線センサを適所に設置しておき、発生した磁力線を検出することで簡単に換気運転を自動オンオフ制御できるようになる。
【０００９】
上記第２の換気装置によれば、上記第１の換気装置と同様な効果を得ることができ、また、検出した磁力線の大きさに従って、換気運転のオンオフだけでなく、強弱をも自動制御できるようになる。
【００１０】
上記第３の台所システムによれば、磁力線センサのみを用いてそれを適所に設置し、磁力線の検出の有無に従って簡単にオンオフ自動制御される換気装置を具備した台所システムを実現することができる。
【００１１】
上記第４の台所システムによれば、上記第３の台所システムと同様な効果を得ることができ、また、検出した磁力線の大きさに従って、換気装置のオンオフ制御だけでなく、強弱制御をも自動で行えるようになる。
【発明を実施するための最良の形態】
【００１２】
図１及び図２は、各々、この出願の発明の一実施形態を示したものである。本実施形態では、台所システム（１）に、ＩＨヒータや電子レンジ、電子コンベクション等の運転時に磁力線を発生する調理器具（２）が備えられ、且つ換気装置（３）がそれらの上方に設けられている。そして、調理器具（２）から放射される磁力線を検出する磁力線センサ（４）（図２参照）が、調理器具（２）横の空きスペース（例えば、サイドモールを取り付ける位置）等の適所に、つまり換気装置（３）のオンオフ・強弱運転制御に必要な磁力線検出を可能ならしめる位置且つ形態で配設されている。図２では、磁力線センサ（４）は、調理器具（２）としてのＩＨコンロ（２ａ）横やＩＨコンロ（２ａ）奥の空きスペースに配設されている。
【００１３】
この場合において、調理器具（２）をオンしたときに発生する磁力線を磁力線センサ（４）が検出すると、その検出に従って換気装置（３）の運転が自動で開始される。この逆に、調理器具（２）をオフすると磁力線は検出されなくなるので、検出しなくなったときに換気装置（３）の運転を停止させる。これにより、磁力線センサ（４）による磁力線検出の有無に従って換気装置（３）のオンオフを簡単に自動制御できるようになる。このとき、他の電子機器等から発生する磁力線を検出して換気装置（３）がオンするのを防止するため、他の電子機器から発生して磁力線センサ（４）に達する磁力線レベルを超える値である所定の閾値を設けておき、磁力線レベルが当該閾値を上回ったときに換気装置（３）をオンし、下回ったときに換気装置（３）をオフするようにしてもよい。
【００１４】
またさらに、検出された磁力線の大きさに従って、換気装置（３）のオンオフだけでなく、その強弱をも自動制御することもできる。より具体的には、たとえば、強弱を切り換えるための基準値を予め設定しておき、各基準値と磁力線実測値とを比較して、強弱運転制御を行うようにすればよい。これらの基準値記憶、比較処理、制御信号処理等はマイコン等の運転制御手段（５）（次述の図３参照）により実行される。
【００１５】
なお、たとえば図３に例示したように、磁力線センサ（４）による検出信号は、調理器具（２）横の空きスペースに設置されている送信手段（６）から、換気装置（３）側に設置された受信手段（７）へ送られて（有線／無線を問わない）、さらに上記運転制御手段（５）により受け取られる。そして、運転制御手段（５）が、受け取った検出信号に基づいてたとえば上記のような基準値比較処理等を実行して、換気装置（３）のオンオフや強弱制御を行う。
【００１６】
もちろん、この出願の発明は以上の実施形態に限定されるものではなく、細部については様々な態様が可能である。
【産業上の利用可能性】
【００１７】
以上詳しく説明した通り、この出願の発明によって、磁力線を発生する調理器具を対象にして、磁力線センサを用い、発生した磁力線を検出することで簡単に換気装置のオンオフや強弱運転を自動制御することのできる換気装置、およびそれを備えた台所システムが提供される。
【図面の簡単な説明】
【００１８】
【図１】この出願の発明の一実施形態を示した模式図である。
【図２】この出願の発明の一実施形態を示した模式図である。
【図３】この出願の発明の一実施形態を示した機能ブロック図である。
【符号の説明】
【００１９】
１  台所システム
２  調理器具
２ａ  ＩＨコンロ
３  換気装置
４  磁力線センサ
５  運転制御手段
６  送信手段
７  受信手段
【図１】
2006010189.tif 000003
【図２】
2006010189.tif 000004
【図３】
2006010189.tif 000005